(57)【特許請求の範囲】
【請求項１】
砂浜の浸食を防止しつつ、砂を捕捉する、砂浜浸食防止構造体であって、
砂浜の汀線に略平行して延設し、難透性の仕切り壁で画成した、集水溝と、
前記集水溝の底部に設置され、底付近に取水口を有する、集水ユニットと、
前記集水溝に充填した、透水性を有する、捕捉体と、
前記集水ユニットの下部から沖合へ向けて延びる、排水路と、を有し、
前記捕捉体を透過させた流水を前記集水ユニット及び前記排水路を通じて自然排水しつつ、流水に含まれる砂を前記捕捉体で捕捉することを特徴とする、
砂浜浸食防止構造体。
【請求項２】
前記捕捉体は、砂より粒径の大きい粗粒体からなることを特徴とする、請求項１に記載の砂浜浸食防止構造体。
【請求項３】
前記捕捉体に、多孔性シートを組合せることを特徴とする、請求項２に記載の砂浜浸食防止構造体。
【請求項４】
前記集水ユニットは、樋状の集水路と、前記集水路の上部を被覆するアーチ部材と、からなり、前記取水口は、前記アーチ部材の下部に設けたスリットであることを特徴とする、請求項１乃至３のいずれか一項に記載の砂浜浸食防止構造体。
【請求項５】
前記集水路の天端が、前記スリットの上部より高い位置にあることを特徴とする、請求項４に記載の砂浜浸食防止構造体。
【発明の詳細な説明】
【技術分野】
【０００１】
本発明は、砂を捕捉して波による砂浜の浸食を防止する、砂浜浸食防止構造体に関する。
【背景技術】
【０００２】
砂浜の浸食とは、海岸や湖沼などの砂浜に定着・堆積する土砂量が、流出する土砂量を下回ることから砂浜から土砂が減少し、汀線が後退する現象をいう。
現在、温暖化に伴う海面上昇、海岸に供給される土砂の減少、海岸部での土砂収支の不均衡等の様々な要因により、砂浜の浸食が進行し、日本では毎年１６０ｈａもの国土が流失している。
このような現状を踏まえ、国土交通省『海岸保全基本方針』では、「この問題（砂浜浸食）に抜本的に対応していくため、海岸地形のモニタリングを行いつつ、海岸部において、沿岸漂砂による土砂の収支が適切となるよう構造物の工夫等を含む取組を進めるとともに、海岸部への適切な土砂供給が図られるよう河川流域における総合的な土砂管理対策とも連携する等、関係機関との連携の下に広域的・総合的な対策を推進する」とされている。
【０００３】
特許文献１には、水域と陸地との境界線に沿って、平均水面レベルに排水路を設け、波によって運ばれる砂を境界帯域に堆積させる砂浜増殖方法であって、上面側に地下水流入孔が形成された排水管を埋設し、排水管内の地下水を真空ポンプで強制排水する砂浜増殖方法が開示されている。
当該発明によれば、波打ち際周辺の地下水が排水管に集水される結果、地下水位が下がり地表面側の砂層部分に不飽和層が形成され、不飽和層に打ち寄せられた海水が直ちに砂中に浸透することから、波とともに運ばれた砂が砂浜の表面に徐々に堆積して、汀線を海側に移動させることができるとする。
【先行技術文献】
【特許文献】
【０００４】
【特許文献１】特開平９−８８０３４号公報
【発明の概要】
【発明が解決しようとする課題】
【０００５】
しかし、従来の技術には次のような欠点があった。
＜１＞排水管内の海水を強制排水するために、常に真空ポンプを稼働しなければならない。また、海岸地域では電源を確保するのが難しい。
＜２＞回収される砂は砂浜の表面に堆積してゆくだけなので、波に再びさらわれ易く、砂を捕捉する効果が弱い。
＜３＞真空ポンプや電源が、海水の塩分や砂等によって損傷しやすい。
＜４＞排水管の流入孔は、砂等によって目詰まりしやすい。一旦目詰まりを起こした排水管を清掃・交換するには、排水管全体を掘り起こさねばならず、多大な手間と費用が掛かる。また、真空ポンプや電源の保守や更新にも手間と費用が掛かる。
【０００６】
本発明の目的は、次の効果のうち少なくともひとつを有する、砂浜浸食防止構造体を提供することにある。
＜１＞外部動力を用いることなく、砂浜の浸食防止と、砂の捕捉を両立できること。
＜２＞砂の捕捉効果が高いこと。
＜３＞構造が簡単で安定して稼働すること。
＜４＞排水管の内部に砂が詰まりにくくメンテナンスの手間が少ないこと。
【課題を解決するための手段】
【０００７】
上記のような課題を解決するための、本発明の砂浜浸食防止構造体は、砂浜の浸食を防止しつつ、砂を捕捉する、砂浜浸食防止構造体であって、砂浜の汀線に略平行して延設し、難透性の仕切り壁で画成した、集水溝と、集水溝の底部に設置され、底付近に取水口を有する、集水ユニットと、集水溝に充填した、透水性を有する、捕捉体と、集水ユニットの下部から沖合へ向けて延びる、排水路と、を有し、捕捉体を透過させた流水を集水ユニット及び排水路を通じて自然排水しつつ、流水に含まれる砂を捕捉体で捕捉することを特徴とする。
【０００８】
本発明の砂浜浸食防止構造体は、捕捉体が、砂より粒径の大きい粗粒体からなることを特徴とする。
【０００９】
本発明の砂浜浸食防止構造体は、捕捉体に、多孔性シートを組合せることを特徴とする。
【００１０】
本発明の砂浜浸食防止構造体は、集水ユニットが、樋状の集水路と、集水路の上部を被覆するアーチ部材と、からなり、取水口は、アーチ部材の下部に設けたスリットであることを特徴とする。
【００１１】
本発明の砂浜浸食防止構造体は、集水路の天端が、スリットの上部より高い位置にあることを特徴とする。
【発明の効果】
【００１２】
本発明の、砂浜浸食防止構造体は、以上説明した構成を有するため、次の効果の少なくともひとつを備える。
＜１＞自然排水方式なので、外部動力を用いることなく、砂浜の浸食防止と、砂の捕捉とを同時に達成できる。
＜２＞捕捉体に設けられた空隙で砂を積極的に捕捉するため、砂が引き波に流されにくく、砂の捕捉効果が非常に高い。
＜３＞外部動力を使わないため、構造が簡単で、安定して稼働する。
＜４＞排水トラップ状の集水ユニットを介して、海水を集水・排出するため、海水に砂等が混ざりにくく、集水ユニットや排水路が詰まりにくい。
【図面の簡単な説明】
【００１３】
【図１】本発明に係る砂浜浸食防止構造体の説明図。
【図２】本発明に係る砂浜浸食防止構造体の説明図。
【図３】本発明に係る砂浜浸食防止構造体の実施例２の説明図。
【発明を実施するための形態】
【００１４】
以下、図面を参照しながら本発明の、砂浜浸食防止構造体について詳細に説明する。
なお、本例では、海岸の砂浜へ適用する場合について説明するが、湖沼等の砂浜にも適用できる。
【実施例１】
【００１５】
［砂浜浸食防止構造体］
＜１＞全体の構成（図１）。
砂浜浸食防止構造体１は、波によって運ばれた砂を捕捉し、海水を下部に浸透させて外部に排出することで、引き波による砂浜Ｓの砂の流失を防ぎ、海岸の浸食を防止する。
砂浜浸食防止構造体１は、砂浜Ｓの汀線付近に、汀線方向に沿って延設する構造体であって、集水溝１０と、捕捉体２０と、集水ユニット３０と、排水路４０と、を含む。
砂浜Ｓに掘った集水溝１０の底面に集水ユニット３０を設置し、集水ユニット３０の底部から排水路４０を砂浜Ｓの外部に延出し、集水ユニット３０の上部を捕捉体２０で埋め戻してなる。
【００１６】
＜２＞集水溝。
集水溝１０は、砂浜Ｓの汀線付近を、汀線と平行な方向に掘削して形成する。
集水溝１０の掘削面は、仕切り壁１１で区画する。
仕切り壁１１は、捕捉体２０で集水した海水を集水ユニット３０へ誘導するためのブロック体、又はシート状物であり、集水ユニット３０へ効率よく海水を流すため、難水性、または遮水性を有する公知の素材からなる。
【００１７】
＜３＞捕捉体。
捕捉体２０は、海水に含まれる砂を海水から分離して捕捉し、海水を下部の集水ユニット３０まで浸透させる、透水性の高い構造体である。
捕捉体２０は、粗粒体２１の集合体からなる。
【００１８】
＜３．１＞粗粒体。
粗粒体２１は、捕捉体２０を構成する、砂より粒径が大きい粒体である。
本例では、粗粒体２１として、粒径を調整した砕石を採用する。ただしこれに限られず、たとえばコンクリートガラ等であってもよい。
粗粒体２１の粒径を砂より大きくしたのは、捕捉体２０の透水性を高めつつ、粗粒体２１間の空隙に砂を効率よく捕捉する為である。
【００１９】
＜４＞集水ユニット。
集水ユニット３０は、捕捉体２０を浸透した海水を集水するための部材である。
集水ユニット３０は、樋状の集水路３１と、集水路３１の上部を被覆するアーチ部材３２と、を少なくとも有する。
集水ユニット３０は、集水溝１０の底部に、汀線方向に沿って連続して設置する。
【００２０】
＜４．１＞集水路。
集水路３１は、海水を集水するための部材である。
集水路３１は、上部を開放した樋状の部材である。本例では、断面コの字形状のコンクリート体を採用するが、これに限られない。
集水路３１の溝底には、底面へ貫通する排出孔３４を設ける。排出孔３４は排水路４０に通じる。排出孔３４は、一定間隔ごとに複数設ける。
【００２１】
＜４．２＞アーチ部材。
アーチ部材３２は、集水路３１の上部を被覆して、集水路３１内に砂等の海水以外の異物が侵入することを防ぐ部材である。
アーチ部材３２は、集水路３１より幅広のアーチ状の部材である。本例では、難透性のコンクリート体を採用する。
アーチ部材３２は、アーチ形状を呈し、水を通しにくいため、アーチ部材３２の上部に達した海水はアーチ部材３２の表面を流れ、効率よく集水溝１０の底部に集まる。
アーチ部材３２の下部には、一定の間隔で、海水を内部に通すスリット３３を設ける。スリット３３の上部は、集水路３１の天端より低くする。
集水路３１の側壁と、スリット３３との間を排水トラップ状の構造としたのは、集水路３１内に砂等の異物が流入するのを防止しつつ、海水のみを取水するためである（図２）。
【００２２】
＜５＞排水路。
排水路４０は、集水ユニット３０の集水路３１に集めた海水を外部に排水する部材である。
排水路４０の一端は、集水路３１の排出孔３４に接続し、他端の排水口４１は、砂浜Ｓの汀線側から沖合方向に延出する。
排水路４０は、排水口４１が排出孔３４側より低い傾斜構造とする。
排水口４１は、少なくとも干潮時水位Ｌ２より上方に設置する。本例では、海水の平均水位Ｌ１よりも低く、干潮時水位Ｌ２よりも高いレベルに設ける。
【００２３】
［砂浜浸食防止構造体の機能］
引き続き、図面を参照しながら本発明の、砂浜浸食防止構造体１の機能について説明する。
【００２４】
＜１＞海水の浸入。
寄せ波が集水溝１０の上を流れると、砂を含んだ海水が捕捉体２０の内部に流れ込み、粗粒体２１の間を通って下方へ流れる。
寄せ波が捕捉体２０内に吸収されることによって、集積溝１０の汀線側の砂浜Ｓを通過する引き波の水量が減少する。
そのため、砂浜Ｓには、寄せ波によって砂が堆積する一方、引き波による砂の流失が減り、砂が堆積してゆく。    
【００２５】
＜２＞海水と砂の分離。
海水が捕捉体２０の内部を浸透してゆくに従って、海水中の砂が、海水と分離して粗粒体２１間の空隙に捕捉される。一方、砂と分離した海水は、捕捉体２０内を集水溝１０の底部に向かって浸透してゆく。
【００２６】
＜３．１＞海水の集水。
捕捉体２０を浸透した海水は、集水溝１０の底部に集まる。また、浸透の途中で仕切り壁１１の表面やアーチ部材３２の上部に到達した海水も、それぞれの傾斜面に沿って同じく集水溝１０の底部に集まる。
集水溝１０の底部に集まった海水は、アーチ部材３２の下部のスリット３３からアーチ部材３２の内側に入り、集水路３１の側壁を乗り越えて、集水路３１の内部に流れ込む。
【００２７】
＜３．１．１＞集水ユニットの機能（図２）。
集水ユニット３０は、スリット３３の上部が集水路３１の天端高よりも低い、排水トラップ状の構造に設計されている。
そのため、次の作用により、捕捉体２０内に捕捉しきれなかった砂を、海水から分離・回収することができる。
捕捉体２０を浸透して集水溝１０の底部に集まった海水は、スリット３３の下を潜るようにしてアーチ部材３２の内部に流れ込む。この過程で、海水内に残存した砂はアーチ部材３２外部の底に溜まる。
アーチ部材３２内に入った海水は、砂を含まない水面付近の部分から、集水路３１の淵を超えて集水路３１の内部に流れ込む。
【００２８】
＜３．２＞海水の排水。
集水路３１内の海水は、排出孔３４を通って排水路４０へ流れ出る。海水中の砂等は捕捉体２０や集水ユニット３０を通過する過程で分離・捕捉されるため、排水路４０内を流れる海水は砂等をほとんど含まない。よって、排水路４０が詰まりにくい。
本例では排水路４０の傾斜を利用した自然排水によって、集水ユニット３０内の海水を外部に排出する。なお、公知の排水ポンプを使用して排水することもできる。
【００２９】
＜４＞砂の捕捉。
海水内に含まれる砂は、捕捉体２０への浸透、集水ユニット３０への集水の過程で、海水から分離され、砂浜浸食防止構造体１の内部に捕捉される。
本願の砂浜浸食防止構造体１は、海水中の砂を表面に堆積させるのではなく、捕捉体２０の内部に積極的に捕捉するため、一度捕捉した砂が引き波によって流されにくい。したがって、砂の捕捉効果が非常に高い。
【００３０】
＜５＞外部動力を必要としない理由。
本願の砂浜浸食防止構造体１は、外部動力を使用せずに、海水と砂とを分離して砂のみを捕捉することができる。その理由は、次のとおりである。
排水路４０の排出口４１は、海水の平均水位Ｌ１よりも低く、干潮時水位Ｌ２よりも高いレベルに設置されるため、海面水位が平均水位Ｌ１以下になる時間帯には自然排水で海へ流出する構造となっている。
海面水位が平均水位Ｌ１よりも高く、満潮時水位までの間は、集水溝１０および集水ユニット３０の内部に浸透した海水は構造体内に貯留されるため、当該構造体の機能は有効に機能する。本願の砂浜浸食防止構造体１は、干満差を活用した外部動力を使用しない構造である。
【実施例２】
【００３１】
[捕捉体を粗粒体と多孔性シートとの組合せとする例]
捕捉体２０を、粗粒体２１と多孔性シート２２との組合せとする他の実施例について説明する（図３）。
多孔性シート２２には、海水を通すための通過孔を設けた、繊維シートや樹脂シート等を採用する。空隙の大きい浸透膜を採用してもよい。
本例では、多孔性シート２２で、粗粒体２１の表面を被覆するか、粗粒体２１の間に層状に介装する。または、両方を併用してもよい。
本例の場合、実施例１の効果に加え、粗粒体２１の表面を多孔性シート２２で被覆することで、集水溝１０から粗粒体２１が飛散、流出することを防ぐことができる。
また、粗粒体２１の間に多孔性シート２２で層を作ることで、捕捉体２０の構造を強化できる。
さらに、粗粒体２１間の空隙の幅と、多孔性シート２２の通過孔の径を変えることで、捕捉体２０の砂の捕捉機能を段階的に変化させることができる。
【符号の説明】
【００３２】
１    砂浜浸食防止構造体
１０  集水溝
１１  仕切り壁
２０  捕捉体
２１  粗粒体
２２  多孔性シート
３０  集水ユニット
３１  集水路
３２  アーチ部材
３３  スリット
３４  排出孔
４０  排水路
４１  排水口
Ｌ１  平均水位
Ｌ２  干潮時水位
Ｓ    砂浜
【図１】
0006329464.tif 000002
【図２】
0006329464.tif 000003
【図３】
0006329464.tif 000004